(57)【要約】【課題】船舶同士を係船する際に、係船対象となる船舶の喫水の変化や波浪による挙動に容易に対応して、横付け状態を維持することのできる係船装置、これを備えた船及びバラスト処理水供給船を提供すること。【解決手段】船舶デッキ１０１上に設けられ、他の船舶に横付けして係船するための係船装置１であって、基台２上に、係船対象となる他の船舶側面に密着させるバキュームカップ６を先端に有するアーム４の基端が、前記先端側が上下及び左右方向に揺動可能となるように支持されていると共に、前記バキュームカップ６内を負圧にするための吸引ポンプ８を有することを特徴とする係船装置１、これを備えた船及びバラスト処理水供給船。【選択図】    図１
2008195114.tif 000002
【特許請求の範囲】
【請求項１】
船舶デッキ上に設けられ、他の船舶に横付けして係船するための係船装置であって、
基台上に、係船対象となる他の船舶側面に密着させるバキュームカップを先端に有するアームの基端が、前記先端側が上下及び左右方向に揺動可能となるように支持されていると共に、前記バキュームカップ内を負圧にするための吸引ポンプを有することを特徴とする係船装置。
【請求項２】
前記アームは伸縮動作可能に設けられていることを特徴とする請求項１記載の係船装置。
【請求項３】
前記基台から前記バキュームカップまでのアームは、１本で構成されていることを特徴とする請求項１又は２記載の係船装置。
【請求項４】
デッキ上に、請求項１、２又は３に記載の係船装置を備えることを特徴とする船。
【請求項５】
バラスト水を取水する取水手段と、
前記取水手段により取水されたバラスト水中の水生生物や細菌類を殺滅する処理装置と、
前記処理装置により処理された処理水を供給対象船舶へ供給するための供給手段とを備えると共に、
デッキ上に、請求項１〜３のいずれかに記載の係船装置を備えることを特徴とするバラスト処理水供給船。
【発明の詳細な説明】
【技術分野】
【０００１】
本発明は、係船装置、これを備えた船及びバラスト処理水供給船に関し、詳しくは、係船作業を容易に行えるようにした係船装置、これを備えた船及びバラスト処理水供給船に関する。
【背景技術】
【０００２】
コンテナ船やタンカー等のような貨物船に他の船舶を横付けして係船する場合、一般に、係船する船舶が有する係留索を貨物船に引き上げてもらって係留することが行われている。
【０００３】
しかし、貨物船とこれに係船する船舶との乾舷差が大きい場合、係留索は上下方向に張架されることになり、係留作業は困難であった。
【０００４】
また、貨物船の荷役中やバラスト水の注排水中等は乾舷高さ（喫水）が変動するため、これに係船している船舶は、この変動につれて係留索が弛緩又は緊張し、その度にウィンチ等を操作して係留索の長さ調整を行う必要があり、煩雑なものであった。
【０００５】
従来、係船装置に関して、特許文献１には、岸壁に係船する際に係留索に過大な張力が掛かることのないように、ウィンチの作動による係留索の繰り出し又は巻き取りを制御するようにした技術が開示されている。
【０００６】
また、特許文献２には、係留索に設けたアイスプライスを伸縮ブームの伸縮動作によって岸壁の係止ポストに係止させるようにした技術が開示されている。
【０００７】
更に、特許文献３には、バキュームカップを用いて大型船をドック又は同様規模の船に固定するために係留する技術が開示されている。
【特許文献１】特開平１０−２０３４７２号公報
【特許文献２】特開平１１−１２９９７９号公報
【特許文献３】特表２００５−５３４５５４号公報
【発明の開示】
【発明が解決しようとする課題】
【０００８】
船舶同士の係船の場合、係船対象となる船舶に対して所定の距離を保って容易に横付けできることが望まれると共に、喫水の変化、波浪による船体の挙動等に応じて、船舶同士の位置が上下左右に大きく変動するため、この変動にも容易に追従して横付け状態を維持できるようにする必要がある。
【０００９】
特許文献１、２は、いずれも船舶を岸壁に係船させる場合の係船装置を開示するものであり、船舶同士を係船させる際に用いる係船装置ではない。このため、船舶同士を係船させる場合の上記要望を満足するものではなかった。
【００１０】
また、特許文献３は、バキュームカップを用いて大型船をドックや同様規模の船に固定するものであり、その図３５、図３８には、係船機構を船舶の側面に設置して隣接する船舶と連結する方法が開示されている。
【００１１】
しかし、船舶の側面に構造物を設置することは、船幅寸法が大きくなることとなり、認可を考えると避けなければならない。
【００１２】
一方、リンク機構を有する係船機構を船舶のデッキ上に設置してドックと連結する方法が、特許文献３の図２、図４に開示されている。
【００１３】
しかし、このような係船装置は、船舶同士の相対変位が発生した場合に背後のフレームに働く力に耐え得る部材で設計する必要があり、過大な設計になるといえる。
【００１４】
特許文献３に開示された技術は、大型船のドック修繕の時に船舶をドック側面に確実に連結させる技術であり、バラスト処理水供給船のような小型船に対しては適用が不可能である。従って、バラスト処理水供給船のような小型船の場合、小型で操作性のよい係船装置が求められている。
【００１５】
そこで、本発明は、船舶同士を係船する際に、係船対象となる船舶の喫水の変化や波浪による挙動に容易に対応して、横付け状態を維持することのできる係船装置、これを備えた船及びバラスト処理水供給船を提供することを課題とする。
【００１６】
本発明の他の課題は、以下の記載により明らかとなる。
【課題を解決するための手段】
【００１７】
上記課題は、以下の各発明によって解決される。
【００１８】
（請求項１）
船舶デッキ上に設けられ、他の船舶に横付けして係船するための係船装置であって、
基台上に、係船対象となる他の船舶側面に密着させるバキュームカップを先端に有するアームの基端が、前記先端側が上下及び左右方向に揺動可能となるように支持されていると共に、前記バキュームカップ内を負圧にするための吸引ポンプを有することを特徴とする係船装置。
【００１９】
（請求項２）
前記アームは伸縮動作可能に設けられていることを特徴とする請求項１記載の係船装置。
【００２０】
（請求項３)
前記基台から前記バキュームカップまでのアームは、１本で構成されていることを特徴とする請求項１又は２記載の係船装置。
【００２１】
（請求項４）
デッキ上に、請求項１、２又は３に記載の係船装置を備えることを特徴とする船。
【００２２】
（請求項５）
バラスト水を取水する取水手段と、
前記取水手段により取水されたバラスト水中の水生生物や細菌類を殺滅する処理装置と、
前記処理装置により処理された処理水を供給対象船舶へ供給するための供給手段とを備えると共に、
デッキ上に、請求項１〜３のいずれかに記載の係船装置を備えることを特徴とするバラスト処理水供給船。
【発明の効果】
【００２３】
本発明によれば、船舶同士を係船する際に、係船対象となる船舶の喫水の変化に容易に対応して、横付け状態を維持することのできる係船装置、これを備えた船及びバラスト処理水供給船を提供することができる。
【発明を実施するための最良の形態】
【００２４】
以下、本発明の実施の形態について図面を用いて説明する。
【００２５】
図１は、本発明に係る係船装置を示す斜視図、図２は本発明に係る係船装置の使用状態を説明する図である。
【００２６】
係船装置１は、基台２上にヒンジ３を介して１本のアーム４が取り付けられ、該アーム４の先端に、ヒンジ５を介してバキュームカップ６が設けられている。
【００２７】
基台２は、船舶１００の右舷と左舷との間を横断するようにデッキ１０１上に架設されたガイドレール７に沿って移動可能に設けられている。
【００２８】
ヒンジ３は、基台２に対してアーム４の先端側を上下方向Ｙ及び左右方向Ｘに自由に揺動させることができるように、該アーム４の基端を支持している。また、ヒンジ３は、基台２に対して水平方向Ｚに旋回可能に取り付けられている。
【００２９】
また、図示しないが、ヒンジ３の部分を基台２に対して垂直方向に昇降動作可能に設けることにより、アーム４全体の高さ位置を調整可能とすることも好ましい。
【００３０】
ヒンジ３の各動作は、電動、油圧又は空気圧を利用することにより作動させることができる。かかる作動は手動でも自動でもよい。
【００３１】
アーム４は、それぞれ径が異なる複数の筒体４ａ〜４ｃが同心状に設けられて１本に構成され、これら筒体４ａ〜４ｃによって伸縮動作が可能となるように構成されており、本発明において好ましい態様を示している。アーム４の伸縮動作は、電動、油圧又は空気圧を利用することにより作動させることができる。伸縮のための作動は手動でも自動でもよい。
【００３２】
ヒンジ５は、アーム４を構成する筒体４ａ〜４ｃのうちの最も内側の筒体４ｃの先端に取り付けられており、バキュームカップ６を筒体４ｃに対して上下、左右及び斜め方向に自由に首振り可能となるように取り付けている。
【００３３】
バキュームカップ６は弾性体からなり、半球型又はコーン型に形成されている。係船装置１が搭載される船舶１００のデッキ１０１上には吸引ポンプ８が設置されており、吸引ホース９によってバキュームカップ６の内部と連通している。従って、バキュームカップ６は、係船対象となる船舶２００の側面２０１に当接した後（図２参照）、吸引ポンプ８によって吸引ホース９を介して船舶２００の側面２０１とバキュームカップ６内部との間に形成される空間から空気を吸引することにより負圧にして該側面２０１に密着するようになっている。
【００３４】
吸引ホース９は、デッキ１０１上に設けられたホースリール１０に巻回されており、係船装置１がガイドレール７に沿ってデッキ１０１上を右舷側、左舷側に移動するのに伴って、係船装置１と吸引ポンプ８との間を繋ぐ長さを調節可能としている。
【００３５】
次に、かかる係船装置１の使用方法について図２を用いて説明する。
【００３６】
デッキ１０１上に係船装置１を搭載した船舶１００は、係船対象となる船舶２００の船側に横付けした後、係船装置１のアーム４の動きを手動又は自動で操作することにより、バキュームカップ６を船舶２００の側面２０１に当接させる。
【００３７】
アーム４の動きは、ヒンジ３による上下、左右方向の揺動動作、好ましくは更に筒体４ａ〜４ｃの伸縮動作によって、側面２０１の適当な位置にバキュームカップ６を当接させる。
【００３８】
バキュームカップ６の当接位置は、係船対象となる船舶２００が荷役中あるいはバラスト水の注水中等のように、喫水が次第に上がっていく（船舶２００が次第に沈んでいく）ような場合、図示するように、係船装置１を搭載した船舶１００から見て、係船対象となる船舶２００の側面２０１の斜め上方に当接させることが好ましい。
【００３９】
バキュームカップ６を当接させた後、吸引ポンプ８を作動させて吸引ホース９を介してバキュームカップ６内の空気を吸引し、バキュームカップ６を船舶２００の側面２０１に密着させると、係船装置１は係船対象となる船舶２００の側面２０１に固定され、船舶１００を係船対象となる船舶２００に横付けした状態で係留する。
【００４０】
この係船作業は、係船装置１を搭載した船舶１００側のみの作業で行うことができるため、係船対象となる船舶２００側は何ら作業を行う必要はない。
【００４１】
この状態で、船舶２００の喫水が変動し、例えば一点鎖線に示すように次第に喫水が上昇しても、係船装置１は、ヒンジ３を支点としてアーム４の先端側が上下方向に揺動可能であることによって容易に追従することができ、従来のように面倒な調整作業を行う必要はない。１本からなるアーム４は、ヒンジ３を支点としてバキュームカップ６側が揺動する構造であるため、例えばリンク機構等に比べてその揺動範囲が大きい。従って、後述するように、バラスト処理水を供給することによって船舶２００の喫水に大きな変動があっても問題なく追従することができる。
【００４２】
また、バキュームカップ６を取り付けているヒンジ５は、バキュームカップ６の向きを自由に変えることができるので、側面２０１に対するバキュームカップ６の密着状態を維持することができる。
【００４３】
しかも、波浪によって船体が上下左右に挙動しても、船舶２００との間隔を一定に保った状態で、ヒンジ５によるアーム４の揺動動作によって容易に追従可能である。
【００４４】
特に、かかる係船装置１によれば、従来のように係船索を用いる場合とは異なり、船舶１００、２００が互いに離れようとする方向の動きをアーム４によって阻止することができるため、船舶１００、２００同士の間隔を容易に維持することができる。
【００４５】
更に、アーム４の伸縮動作を空気圧を利用して制御するようにすれば、船舶１００、２００が互いに接近しようとする方向の動きをアーム４の縮動作によって吸収することができるため、係船装置１が緩衝機能を果たし、船舶１００、２００同士の過度の接近を効果的に阻止することができる。
【００４６】
また、係船状態を解除するには、吸引ポンプ８の作動を停止させるだけで済むため、解除作業も極めて簡単に行える。
【００４７】
また、基台２からバキュームカップ６までのアーム４を１本で構成しているので、係船装置１を構造簡単で小型に構成できるため、小型船に搭載することも可能である。
【００４８】
更に、係船装置１は、船舶１００の右舷と左舷との間を横断するようにデッキ１０１上に架設されたガイドレール７に沿って移動可能に設けられているので、図３に示すように、係船対象となる船舶２００に対して、１基の係船装置１で船舶１００の右舷側、左舷側のいずれの側でも使用することが可能であり、右舷側及び左舷側の双方に係船装置１を配置する必要がない。
【００４９】
このような係船装置１は、船舶１００の右舷側又は左舷側において、複数基で係船対象となる船舶２００に対して係船させるようにすることが好ましい。図４は、船舶１００の船首側と船尾側にそれぞれ係船装置１Ａ、１Ｂを搭載し、船舶２００に係船した状態を示している。このように複数基の係船装置１を搭載することにより、船舶１００を係船対象となる船舶２００に対して、より安定して係船することができる。
【００５０】
また、係船対象となる船舶２００に係船装置１の可動範囲を超えるような喫水の変動があった場合でも、係船装置１Ａ、１Ｂのうちのいずれか一方の係船装置１Ａ又は１Ｂのバキュームカップ６の密着を解除し、位置変更して再度密着し直した後、他方の係船装置１Ｂ又は１Ａの位置変更を行うというように、複数基の係船装置１Ａ、１Ｂのうちの１基ずつ作業を行うことができる。従って、少なくとも１基のバキュームカップ６は常に密着状態にしておくことができるので、大きな喫水の変動に対しても、係船状態を安定に維持することができる。
【００５１】
かかる係船装置１を搭載する船舶１００は、バラスト処理水を他の船舶２００に対して供給するためのバラスト処理水供給船であることが特に好ましい。
【００５２】
バラスト処理水とは、バラストタンクに注水するために取水したバラスト水中に生息する動物プランクトン、植物プランクトン、微生物等の水生生物や大腸菌等の細菌類が、条約（国際海事機関（ＩＭＯ）の外交会議において採択された船舶のバラスト水及び沈殿物の規制及び管理のための条約）を満足する所定値以下となるように殺滅処理されたバラスト水のことである。
【００５３】
バラスト処理水供給船１００は、他の船舶（供給対象船舶）に横付けして係船した後、自身で生成したバラスト処理水を該供給対象船舶に供給する。バラスト処理水の供給を受けた船舶は、そのバラスト処理水を自身のバラストタンクに貯留することにより、該バラストタンクからバラスト水を排水する際、水生生物や細菌類が所定値以下となるように殺滅されたクリーンなバラスト水を排水することができる。
【００５４】
図５は、かかるバラスト処理水供給船１００の一例を一部切欠して示す側面図である。
【００５５】
このバラスト処理水供給船１００の船体１０２内部には、船底付近に設けられたシーチェスト１０３から取水されたバラスト水を処理する処理装置１０４と、該処理装置１０４によって処理されたバラスト水を貯留する貯留タンク１０５が設けられている。なお、１０６は航行用のスクリューである。
【００５６】
ここで、バラスト水には例えば海水、淡水等が用いられ、本発明では海水が好ましく使用される。かかるバラスト水には、取水した水域に生息する動物プランクトン、植物プランクトン、微生物等の水生生物や大腸菌等の細菌類を含んでいる。
【００５７】
処理装置１０４は、シーチェスト１０３から取水されたバラスト水中の水生生物や細菌類を、条約を満足する程度に殺滅可能であればよく、例えば熱、超音波、紫外線、銀イオン、電気等を用いた物理的処理法、濾過、剪断力、キャビテーション等を用いた機械的処理法、オゾン、酸素除去、塩素等を用いた化学的処理法、これらの２種以上の処理法を複合させた複合処理法等が挙げられる。
【００５８】
本発明において好ましい処理装置１０４の一例について図６を用いて説明するが、処理装置１０４は何ら図示するものに限定されない。
【００５９】
図６は処理装置１０４の一例を示す構成図であり、図中、４１はフィルター、４２は取水ポンプ、４３は処理ライン、４４はオゾン混合装置、４５はオゾン発生装置、４６はスリット板、４７は脱気タンク、４８は排オゾン分解装置である。
【００６０】
取水ポンプ４２の作動によりシーチェスト１０３から処理装置１０４内にバラスト水が取り込まれ、処理ライン４３内を移送される過程で、水生生物や細菌類を殺滅するための処理がなされる。
【００６１】
フィルター４１は、取水ポンプ４２の作動によって処理装置１０４に導入されたバラスト水から夾雑物を取り除くために設けられている。このフィルター４１は、後段のオゾン混合装置４４によるオゾン注入やスリット板４６によって水生生物や細菌類が殺滅処理されることから、水中のゴミ等の比較的大きな夾雑物を取り除ければよい。
【００６２】
オゾン混合装置４４は、取水ポンプ４２の作動によって処理ライン４３中を移送されるバラスト水に、オゾン発生装置４５によって生成されたオゾンを混入させ、バラスト水中の水生生物や細菌類をオゾンの強酸化作用によって化学的に殺滅する。ここでは、オゾン混合装置４４として、処理ライン４３中のバラスト水とオゾンとを気液混合する気液混合装置（オゾンインジェクター）を用いた例を示しているが、バラスト水中に所定濃度のオゾンを混入させることができるものであれば特に限定されない。例えば、スタティックミキサー、ラインミキサーなどの静的混合機を使用することもできる。
【００６３】
オゾン発生装置４５は、例えばコンプレッサー４５１、酸素発生器４５２及びオゾン発生器４５３を有しており、酸素発生器４５２及びオゾン発生器４５３を経て生成されたオゾンが、コンプレッサー４５１によってオゾン供給ライン４５４を介してオゾン混合装置４４に供給され、バラスト水中に所定濃度のオゾンを混入させる。
【００６４】
スリット板４６は、オゾン混合装置４４によってオゾンが混入されたバラスト水を高圧で通過させることにより、その際に発生する剪断力によってバラスト水中の水生生物や細菌類を機械的に破壊して殺滅する。
【００６５】
このスリット板４６の詳細を図７〜図１１に示す。
【００６６】
図７は、処理ライン４３内のスリット板４６を示す断面図、図８は、図７の(viii)−(viii)線断面図であり、これらに示すように、スリット板４６は処理ライン４３の内部に、該処理ライン４３の流路全体を塞ぐようにして配設されている。
【００６７】
スリット板４６には複数のスリット状の開口４６１が形成されている。開口４６１の開口幅は、バラスト水中の水生生物や細菌類を剪断力によって破壊する効果が充分に発揮され得る幅に設定されるが、好ましくは２００μｍ〜５００μｍとされる。これにより、バラスト水を通過させる際に発生する剪断現象によって１０μｍ程度の水生生物も殺滅可能である。
【００６８】
処理ライン４３内を移送されるバラスト水は、取水ポンプ４２の作動によってこのスリット板４６に向かって高圧で圧送される。圧送されたバラスト水は乱流状態のままスリット板４６のスリット状の開口４６１を通過しようとし、この開口４６１を通過する際に剪断現象が生じることで、バラスト水中の水生生物や細菌類を破壊して殺滅する。
【００６９】
かかる剪断力による破壊、殺滅効果をより発揮させるために、スリット板４６はバラスト水の流れ方向に対して直交する方向に取り付けることが好ましい。
【００７０】
また、スリット板４６は、処理ライン４３内に密接して取り付けられるが、図示しないが、容易に取り外し可能として洗浄することができるように、フランジ等によって処理ライン４３に介設することが好ましい。
【００７１】
スリット板４６に形成される複数のスリット状の開口４６１の形状は、図８に例示するように、細長い長方形状からなるものが好ましい態様として挙げられる。開口４６１の本数は特に限定されず、バラスト水の圧力損失、剪断現象の発生状況に応じて適宜設定される。
【００７２】
なお、各開口４６１は全て同じ長さに形成してもよいが、図９に示すように、処理ライン４３の断面形状に合わせて、中央部を長く、端部に行くほど短く形成してもよい。
【００７３】
また、各開口４６１の形状は直線状に限らず、図１０に示すように、円弧状等の曲線状に形成してもよい。
【００７４】
更に、処理ライン４３内に配設されるスリット板４６の枚数は１枚に限らず、図１１に示すように、複数枚（４６Ａ、４６Ｂ）を間隔をおいて配設するようにしてもよい。枚数は複数枚であれば特に限定されない。
【００７５】
複数枚のスリット板４６Ａ、４６Ｂを配設する場合は、各スリット板４６Ａ、４６Ｂのそれぞれの開口４６１の幅、大きさ、本数、形状を異ならせることが好ましい。また、隣接するスリット板４６Ａ、４６Ｂのそれぞれの開口４６１の配置を異ならせ、例えば各スリット板４６Ａ、４６Ｂのそれぞれの開口４６１の長さ方向が直交するように配置させるようにすることも好ましい。これらにより、剪断現象をより一層効果的に発揮させることができ、バラスト水中の水生生物や細菌類の破壊、殺滅効果をより向上させることができる。
【００７６】
スリット板４６を通過した後のバラスト水は脱気タンク４７に送られ、バラスト水中の未溶解の余剰オゾンの脱気が行われる。脱気タンク４７内には、タンク底部からタンク天井部の手前に亘って立設された仕切り壁４７１と、タンク天井部からタンク底部の手前に亘って垂設された仕切り壁４７２とが交互に並設され、バラスト水の上向流路と下向流路とを交互に形成している。これにより、脱気タンク４７内に導入されたバラスト水は、上向流路と下向流路とを交互に通過し、その過程で、バラスト水中に気泡状態で混入する余剰オゾンをバラスト水中から除去し、タンク上部の排オゾン室４７３に溜める。
【００７７】
排オゾン室４７３に溜まった排オゾンは、脱気タンク４７から排オゾン分解装置４８に送られて分解され、例えばデッキ１０１上から船外に排出される。
【００７８】
このようにして、処理装置１０４を経たバラスト水は、水生生物や細菌類が所定値以下となるように殺滅されたクリーンなバラスト水（バラスト処理水）となる。
【００７９】
なお、図６に示す態様では、オゾン混合装置４４によりバラスト水中にオゾンを混入させた後にスリット板４６を通過させて処理するようにしたが、これに限定されず、スリット板４６を通過させた後のバラスト水にオゾン混合装置４４によってオゾンを混入させて処理するように構成してもよい。
【００８０】
かかる処理装置１０４を通過することにより処理されたバラスト処理水は貯留タンク１０５に送られ、該貯留タンク１０５内に貯留される。貯留されるバラスト処理水は、脱気タンク４７によって余剰オゾンが除去されているため、タンクを腐食する問題はない。
【００８１】
貯留タンク１０５内に貯留されたバラスト処理水は、港に停泊しているコンテナ船等の船舶（供給対象船舶）２００のバラストタンクに注水するために供給される。このため、船体１０２内には、貯留タンク１０５内からバラスト処理水を取水して供給対象船舶に供給するための供給ポンプ１０６が設けられており、該供給ポンプ１０６の作動によって処理水供給ライン１０７を介してバラスト処理水が供給されるようになっている。処理水供給ライン１０７の一端はデッキ１０１上に引き延ばされて処理水供給管１０８を形成しており、貯留タンク１０５内のバラスト処理水をデッキ１０１上から供給対象船舶２００へ供給可能としている。
【００８２】
処理水供給ライン１０７には、流量調整弁１０９と流量計１１０とが設けられている。
【００８３】
図１２は、処理水供給管１０８の詳細を示す斜視図である。
【００８４】
処理水供給管１０８は、船体１０２内の処理水供給ライン１０７に繋がり、デッキ１０１上に立設される立上り配管８１と、該立上り配管８１の上端から船体１０２の右舷側及び左舷側にそれぞれ向かってデッキ１０１上を横断するように分岐された横配管８２と、該横配管８２の両端近傍からそれぞれ分岐され、船首側に向かって平行に延びる２本の縦配管８３とを有している。
【００８５】
横配管８２の両端及び各縦配管８３の中途部には、それぞれ船体１０２の右舷側及び左舷側に向かって開口するホース接続口８４〜８７が設けられている。各ホース接続口８４〜８７は、それぞれ開閉弁８４１〜８７１によって開閉される。
【００８６】
ホース接続口８４〜８７は全て同一径ではなく、径が異なるものを含んでいる。ここでは、ホース接続口８４からホース接続口８７に行くに従って径が次第に小さくなり、それが右舷側と左舷側とで左右対称となるように配置されている。このため、複数種の口径のホースの接続部と接続可能である。また、右舷側と左舷側とで左右対称となるように配置されているため、バラスト処理水供給船１００の右舷側及び左舷側のいずれの側においても複数種の口径のホースの接続部と接続可能である。しかし、右舷側及び左舷側の全てのホース接続口８４〜８７の径を異ならせてもよい。また、ホース接続口は右舷側と左舷側とで異なる配設数としてもよい。
【００８７】
供給対象船舶２００側のホースの接続部が様々な構造を有している場合には、処理水供給管１０８に設けられる複数のホース接続口は、該船舶２００側のホースの接続部の構造に対応させて、それぞれ接続部の構造を異ならせるようにしてもよい。
【００８８】
また、処理水供給管１０８には、径の異なる複数のホース接続口と接続部の構造の異なる複数のホース接続口とを設け、様々な径及び様々な構造のホースの接続部にも対応できるように構成してもよい。
【００８９】
かかるバラスト処理水供給船１００によって供給対象船舶２００にバラスト処理水を供給する様子を図１３に示す。
【００９０】
クリーンなバラスト水を必要とする供給対象船舶２００にバラスト処理水供給船１００を横付けし、バラスト処理水供給船１００のデッキ１０１上に搭載された係船装置１を用いて係船した後、処理水供給管１０８に設けられたいずれかのホース接続口に、供給対象船舶２００側から延びる取水用ホース２０２を接続する。
【００９１】
供給対象船舶２００には、取水用ホース２０２を有する取水管２０３を設けておき、この取水管２０３を船体内部に設けられた副注水ライン２０４によって、シーチェスト２０５からバラスト水を取水する既設の主注水ライン２０６と接続し、該主注水ライン２０６に設けられているバラストポンプ２０７の作動によってバラストタンク（図示せず）にバラスト処理水供給船１００からのバラスト処理水が注水されるようになっている。
【００９２】
バラスト処理水供給船１００から供給対象船舶２００へのバラスト処理水の供給は、図５に示すように、処理水供給ライン１０７に設けられた流量調整弁１０９によって供給量が調整される。
【００９３】
バラスト水をシーチェスト２０５から注水するかバラスト処理水供給船１００から供給されるようにするかといった供給対象船舶２００におけるバラスト水の注水元の選択は、主注水ライン２０６に設けた開閉弁２０８と副注水ライン２０４に設けた開閉弁２０９の選択的な開閉制御によって行われる。
【００９４】
このように、バラスト処理水供給船１００によって供給対象船舶２００のバラストタンク内にクリーンなバラスト水を注水することができるので、供給対象船舶２００は取水用ホース２０２を有する取水管２０３を設け、これを開閉弁２０８、２０９を介して既設の主注水ライン２０６と接続するだけで、新たに処理装置を組み込む場合のような大掛かりな改修工事を不要にできる。
【００９５】
処理水供給ライン１０７には、図５に示すように、流量計１１０が設けられており、供給したバラスト処理水の流量を測ることができる。バラスト水供給船１００の例えば操舵室内には、図５に示すように、この流量計１１０の計測結果に基づいて積算流量や供給完了予想時間等の情報を表示する表示部１１０ａが設けられている。
【００９６】
従って、供給対象船舶２００に対して必要な量のバラスト処理水を供給することができ、その情報を表示部１１０ａによって確認することができる。更に、この流量計１１０の計測結果に応じて課金することも可能となる。このような課金情報も表示部１１０ａに表示される。
【００９７】
以上のバラスト処理水供給船１００の態様では、処理装置１０４によって処理されたバラスト処理水を貯留タンク１０５に貯留しておき、この貯留タンク１０５内のバラスト処理水を供給対象船舶２００に対して供給するようにした。この態様によれば、バラスト処理水を生成して貯留しておくことができるので、例えば供給対象船舶２００の寄港時間や荷役作業等のスケジュールに合わせて、バラスト処理水を予め生成して用意しておき、必要な時に速やかに供給することができる。
【００９８】
また、供給されるバラスト処理水が、条約を満足する程度に水生生物や細菌類が殺滅されたクリーンなバラスト処理水であるのかどうかを、貯留タンク１０５内のバラスト処理水をサンプリングすることにより事前に検査して確認しておくことも可能となる。従って、水生生物や細菌類が所定値以下となるように殺滅されたクリーンなバラスト処理水であることをサンプリング結果に基づいて供給対象船舶２００に対して提示することができ、安全で安心なバラスト処理水を提供することができる。
【００９９】
また仮に、処理装置１０４による処理能力、すなわち処理装置１０４を経て生成されるバラスト処理水の生成量が、供給対象船舶２００のバラストポンプ２０７の取水能力よりも小さい場合でも、予め生成して貯留しておいた貯留タンク１０５内のバラスト処理水を供給することにより、供給対象船舶２００のバラストポンプ２０７の取水能力に応じた供給量でバラスト処理水を供給することができる利点がある。
【０１００】
しかし、バラスト処理水供給船１００はこのように貯留タンク１０５を有するものに限定されず、図１４に示すバラスト処理水供給船１００Ａのように必ずしも貯留タンクはなくてもよい。この場合、バラスト処理水供給船１００Ａは、処理装置１０４から排出されるバラスト処理水を、そのまま処理水供給管１０８から供給対象船舶２００に供給する態様とすることができる。図１４において図５と同一符号は同一構成を示しているので、ここでの詳細な説明は省略する。
【０１０１】
この態様によれば、バラスト処理水供給船１００Ａは、内部にバラスト処理水を貯留する必要がないため、処理装置１０４、供給ポンプ１０６、処理水供給ライン１０７及び処理水供給管１０８を設置し得る程度の規模の船で足り、貯留タンクを有する場合に比べてコンパクトな船とすることができ、狭い港湾において機動性の高いバラスト処理水供給船を提供できる利点がある。
【０１０２】
このような貯留タンクを持たないバラスト処理水供給船１００Ａの場合、処理装置１０４によって処理された後のバラスト処理水をサンプリングして水生生物や細菌類の生存数を検査することにより処理効果を確認するための検査システムを設けておき、検査済みのバラスト処理水を供給対象船舶２００に供給できるようにすることが好ましい。
【０１０３】
なお、バラスト処理水供給船１００、１００Ａのいずれにおいても、処理装置１０４、供給ポンプ１０６、処理水供給ライン１０７はデッキ１０１上に設置してもよい。
【０１０４】
また、バラスト処理水供給船１００、１００Ａからのバラスト処理水の供給は、供給対象船舶２００側から延びたホース２０２を処理水供給管１０８に接続する態様に限らない。例えば、図示しないが、バラスト処理水供給船１００、１００Ａが有する処理水供給管１０８の構成に代えて、あるいは処理水供給管１０８の他に、供給処理水供給ライン１０７から送られるバラスト処理水を供給対象船舶２００に供給するためのホースを備え、このホースを供給対象船舶２００まで延ばして該船舶２００側の取水口等に接続可能となるように構成してもよい。
【０１０５】
更に、処理装置１０４の他の態様として、水生生物や細菌類を濾過することにより除去可能な例えばＭＦ膜やＵＦ膜等の膜装置を用いることもできる。膜装置の後段に、更に図６に示すようにオゾン混合装置４４、オゾン発生装置４５及び脱気タンク４７を配置してオゾン注入及び余剰オゾンの脱気を行うようにしてもよい。
【０１０６】
以上説明したバラスト処理水供給船１００、１００Ａは、いずれもスクリュー１０６により自立航行可能な船を例示したが、何らこれに限定されない。従って、バラスト処理水供給船１００、１００Ａは、自立航行するための機関を持たないバージ船であってもよい。
【０１０７】
かかるバラスト処理水供給船１００、１００Ａのデッキ１０１上に、本発明に係る係船装置１を搭載することにより、両船舶１００又は１００Ａと２００との間の距離を係船装置１によって一定に維持した状態で供給作業を行うことができるため、バラスト処理水供給船１００、１００Ａから供給対象船舶（係船対象船舶）２００にホース２０２を介してバラスト処理水を供給する間、ホース２０２に過度な張力が掛かる問題はなく、バラスト処理水の供給作業を安全に行うことができる。
【図面の簡単な説明】
【０１０８】
【図１】本発明に係る係船装置を示す斜視図
【図２】本発明に係る係船装置の使用状態を説明する図
【図３】係船装置を船舶の右舷側及び左舷側に移動する状態を説明する図
【図４】船舶の船首側と船尾側にそれぞれ係船装置を搭載して船舶に係船した状態を示す図
【図５】バラスト処理水供給船を一部切欠して示す側面図
【図６】処理装置の一例を示す構成図
【図７】処理ライン内のスリット板を示す断面図
【図８】図７の(viii)−(viii)線断面図
【図９】スリット板の開口の他の例を示す断面図
【図１０】スリット板の開口の更に他の例を示す断面図
【図１１】処理ライン内のスリット板の他の例を示す断面図
【図１２】処理水供給管の詳細を示す斜視図
【図１３】バラスト処理水供給船によって船舶にバラスト処理水を供給する様子を示す図
【図１４】他の態様に係るバラスト処理水供給船を一部切欠して示す側面図
【符号の説明】
【０１０９】
１、１Ａ、１Ｂ：係船装置
２：基台
３：ヒンジ
４：アーム
４ａ〜４ｃ：筒体
５：ヒンジ
６：バキュームカップ
７：ガイドレール
８：吸引ポンプ
９：吸引ホース
１０：ホースリール
１００：船舶（バラスト処理水供給船）
１０１：デッキ
２００：係船対象となる船舶（供給対象船舶）
２０１：側面
【図１】
2008195114.tif 000003
【図２】
2008195114.tif 000004
【図３】
2008195114.tif 000005
【図４】
2008195114.tif 000006
【図５】
2008195114.tif 000007
【図６】
2008195114.tif 000008
【図７】
2008195114.tif 000009
【図８】
2008195114.tif 000010
【図９】
2008195114.tif 000011
【図１０】
2008195114.tif 000012
【図１１】
2008195114.tif 000013
【図１２】
2008195114.tif 000014
【図１３】
2008195114.tif 000015
【図１４】
2008195114.tif 000016